【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】 映像、音声、及びデータを含むデータストリームを受信可能な受信装置であって、
前記データストリームの個別情報を格納するＥＭＭセクションには、所定のグループに属する複数の受信装置に共通する集団識別番号と、前記所定のグループに属する受信装置ごとに独立する個別識別番号とを含み、
前記受信装置は、前記データストリームのＥＭＭセクションを抽出する多重分離部と、
前記多重分離部で抽出されたＥＭＭセクションから前記集団識別番号と前記個別識別番号とを抽出する制御部とを備え、
前記制御部により抽出された前記集団識別番号に基づいて、前記所定のグループに属する受信装置の契約が制御されることを特徴とする受信装置。
【請求項２】 請求項１に記載の受信装置において、
前記所定のグループに新たな受信装置を含める場合には、多重分離部により抽出されたＥＭＭセクションの情報に基づいて、前記新たな受信装置に前記所定グループに属する複数の受信装置に共通する集団識別番号を割り当てることを特徴とする受信装置。
【請求項３】 請求項１又は２に記載の受信装置において、
前記データストリームには、さらに、前記データストリームの所定部分について、前記個別識別番号により特定される個別の受信装置単位で課金される第１の契約内容、又は、前記集団識別情報により特定される所定のグループ単位で課金される第２の契約内容のいずれを適用するか区別するための識別子を含み、
前記識別子に応じて前記第２の契約内容を適用するとき、前記データストリームに含まれる前記所定のグループ単位で共通する鍵情報を取得する制御部と、
前記鍵情報により、前記データストリームの所定部分をデスクランブルする暗号解読部とを備えることを特徴とする受信装置。
【請求項４】 請求項３に記載の受信装置において、
前記契約内容は、所定期間ごとに更新されることを特徴とする受信装置。
【請求項５】 請求項３又は４に記載の受信装置において、
前記データストリームの所定部分とは、一つの番組又は一つの放送局に対応することを特徴とする受信装置。
【手続補正２】
【補正対象書類名】明細書
【補正対象項目名】発明の名称
【補正方法】変更
【補正の内容】
【発明の名称】受信装置
【手続補正３】
【補正対象書類名】明細書
【補正対象項目名】００１０
【補正方法】変更
【補正の内容】
【００１０】
【課題を解決するための手段】
上記課題を解決するために、本発明（請求項１）にかかる受信装置は、映像、音声、及びデータを含むデータストリームを受信可能な受信装置であって、上記データストリームの個別情報を格納するＥＭＭセクションには、所定のグループに属する複数の受信装置に共通する集団識別番号と、上記所定のグループに属する受信装置ごとに独立する個別識別番号とを含み、上記受信装置は、上記データストリームのＥＭＭセクションを抽出する多重分離部と、上記多重分離部で抽出されたＥＭＭセクションから上記集団識別番号と上記個別識別番号とを抽出する制御部とを備え、上記制御部により抽出された上記集団識別番号に基づいて、上記所定のグループに属する受信装置の契約が制御されることを特徴とするものである。
【手続補正４】
【補正対象書類名】明細書
【補正対象項目名】００１１
【補正方法】変更
【補正の内容】
【００１１】
また、本発明（請求項２）にかかる受信装置は、請求項１に記載の受信装置において、上記所定のグループに新たな受信装置を含める場合には、多重分離部により抽出されたＥＭＭセクションの情報に基づいて、上記新たな受信装置に上記所定グループに属する複数の受信装置に共通する集団識別番号を割り当てることを特徴とするものである。
【手続補正５】
【補正対象書類名】明細書
【補正対象項目名】００１２
【補正方法】変更
【補正の内容】
【００１２】
また、本発明（請求項３）にかかる受信装置は、請求項１又は２に記載の受信装置において、上記データストリームには、さらに、上記データストリームの所定部分について、上記個別識別番号により特定される個別の受信装置単位で課金される第１の契約内容、又は、上記集団識別情報により特定される所定のグループ単位で課金される第２の契約内容のいずれを適用するか区別するための識別子を含み、上記識別子に応じて上記第２の契約内容を適用するとき、上記データストリームに含まれる上記所定のグループ単位で共通する鍵情報を取得する制御部と、上記鍵情報により、上記データストリームの所定部分をデスクランブルする暗号解読部とを備えることを特徴とするものである。
【手続補正６】
【補正対象書類名】明細書
【補正対象項目名】００１３
【補正方法】変更
【補正の内容】
【００１３】
また、本発明（請求項４）にかかる受信装置は、請求項３に記載の受信装置において、上記契約内容は、所定期間ごとに更新されることを特徴とするものである。
【手続補正７】
【補正対象書類名】明細書
【補正対象項目名】００１４
【補正方法】変更
【補正の内容】
【００１４】
また、本発明（請求項５）にかかる受信装置は、請求項３又は４に記載の受信装置において、上記データストリームの所定部分とは、一つの番組又は一つの放送局に対応することを特徴とするものである。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００９６
【補正方法】変更
【補正の内容】
【００９６】
【発明の効果】
以上のように、本発明にかかるデータ送受信方法によれば、別個の個別識別番号を有して同一集団に属する複数のデータ受信装置に、同一の集団識別番号を割り当てて、これら個別識別番号または集団識別番号に基づいて、受信契約の管理を行うものとしたから、送信側ではＩＲＤ単位および集団単位のいずれの契約形態でも課金することができ、受信側では集団単位の契約形態のとき、１契約の課金で複数の受信装置でデータを受信することができる効果がある。
【手続補正２３】
【補正対象書類名】明細書
【補正対象項目名】００９７
【補正方法】変更
【補正の内容】
【００９７】
また、本発明にかかるデータ送受信方法によれば、上記受信契約は、所定の期間ごとに更新するものとしたから、受信装置単位と集団単位との契約形態を変更でき、より自由度の高い契約設定をすることができる効果がある。
【手続補正２４】
【補正対象書類名】明細書
【補正対象項目名】００９８
【補正方法】変更
【補正の内容】
【００９８】
また、本発明にかかるデータ送受信方法によれば、上記データは、ディジタル放送におけるデータストリームによって伝送される映像，音声，及びデータを含み、所定のデータストリームの部分ごとについて、所定期間の視聴に対して課金するものとしたから、契約形態のみならず課金形態についても自由度の高い設定をすることができる効果がある。
【手続補正２５】
【補正対象書類名】明細書
【補正対象項目名】００９９
【補正方法】変更
【補正の内容】
【００９９】
また、本発明にかかるデータ送受信方法によれば、上記データストリームの部分をサービス（チャンネル）としたから、ペイ・パー・チャンネルの課金形態において、集団単位の契約形態を採用して、料金を徴収することが可能である効果がある。
【手続補正２６】
【補正対象書類名】明細書
【補正対象項目名】０１００
【補正方法】変更
【補正の内容】
【０１００】
また、本発明にかかるデータ送受信方法によれば、上記受信契約内容は、受信側で視聴可能なサービスおよび契約期間を含み、データストリームに重畳して受信側に送信するものとしたから、受信側ではその内容に基づいてスクランブルを解いて、視聴可能なサービスのみを受信することができる効果がある。
【手続補正２７】
【補正対象書類名】明細書
【補正対象項目名】０１０１
【補正方法】変更
【補正の内容】
【０１０１】
また、本発明にかかるデータ送受信方法によれば、第１の受信装置が有する個別識別番号を送信側に通知するステップと、該第１の受信装置が受信契約しようとするサービスの識別情報を送信側に通知するステップと、上記第１の受信装置と同一集団に属する，１つのまたは複数の受信装置がそれぞれ有する個別識別番号、及びその同一集団に属する旨を送信側に通知するステップと、同一集団に属する受信装置に同一の集団識別番号を割り当てるステップと、上記１つのまたは複数の受信装置に、上記第１の受信装置が受信契約したサービスの識別情報を入力するステップとからなるものとしたから、第１の受信装置が受信契約したサービスについて、第１の受信装置と同一集団に属する複数の受信装置で１契約の課金で受信して視聴することができる効果がある。
【手続補正２８】
【補正対象書類名】明細書
【補正対象項目名】０１０２
【補正方法】変更
【補正の内容】
【０１０２】
また、本発明にかかるデータ送受信方法によれば、上記第１の受信装置と接続された電話回線番号を送信側に通知するステップと、上記１つのまたは複数の受信装置は、上記第１の受信装置と同一の電話回線で接続され、各受信装置から、自己の個別識別番号および集団識別番号を、接続された電話回線番号から所定の時間間隔で送信側へ通知するステップと、送信側で、それらの番号と既に通知された番号とを照合するステップとをさらに含むものとしたから、集団単位で契約した受信装置を契約した集団内で使用していないことを把握することができる効果がある。
【手続補正２９】
【補正対象書類名】明細書
【補正対象項目名】０１０３
【補正方法】変更
【補正の内容】
【０１０３】
また、本発明にかかるデータ送受信方法によれば、上記１つのまたは複数の受信装置に、上記第１の受信装置が受信契約したサービスの識別情報を入力するステップは、送信側から送出される情報を入力するものとしたから、受信側でユーザが入力する手間を省き、入力ミスを防ぐことが可能である効果がある。
【手続補正３０】
【補正対象書類名】明細書
【補正対象項目名】０１０４
【補正方法】変更
【補正の内容】
【０１０４】
また、本発明にかかるデータ送受信方法によれば、上記送信側で、番号を照合するステップにおいて一致しないとき、送信側から受信側に警告するものとしたから、警告後も違反を続ける場合には、違反した受信装置や集団全体の受信装置に対して、サービスを打ち切るなどの，その後の措置をとることが容易となる効果がある。
【手続補正３１】
【補正対象書類名】明細書
【補正対象項目名】０１０５
【補正方法】変更
【補正の内容】
【０１０５】
また、本発明にかかるデータ送受信方法によれば、上記同一集団に属する受信装置に同一の集団識別番号を割り当てるステップは、集団識別番号を映像および音声とともにデータストリームに多重して受信装置に伝送するものとしたから、データとともに容易に伝送することができる効果がある。
【手続補正３２】
【補正対象書類名】明細書
【補正対象項目名】０１０６
【補正方法】変更
【補正の内容】
【０１０６】
また、本発明にかかるデータ送受信方法によれば、上記集団識別番号をデータストリームのＥＭＭに格納して伝送するものとしたから、従来より伝送されているＩＲＤ＿ＩＤと組にして容易に伝送することができる効果がある。
【手続補正３３】
【補正対象書類名】明細書
【補正対象項目名】０１０７
【補正方法】変更
【補正の内容】
【０１０７】
また、本発明にかかるデータ送受信方法によれば、上記集団識別番号をデータストリームとは異なる伝送路でも受信装置に伝送するものとしたから、電話回線などの電波障害のない伝送路を利用して、より確実に伝送することができる効果がある。
【手続補正３４】
【補正対象書類名】明細書
【補正対象項目名】０１０８
【補正方法】変更
【補正の内容】
【０１０８】
また、本発明にかかるデータ送受信方法によれば、上記データストリームの部分をイベント（番組）としたから、ペイ・パー・ビュー（ＰＰＶ）の課金形態において、集団単位の契約形態を採用して、料金を徴収することが可能である効果がある。
【手続補正３５】
【補正対象書類名】明細書
【補正対象項目名】０１０９
【補正方法】変更
【補正の内容】
【０１０９】
また、本発明にかかるデータ送受信方法によれば、第１の受信装置が有する個別識別番号を送信側に通知するステップと、上記第１の受信装置と同一集団に属する，１つのまたは複数の受信装置がそれぞれ有する個別識別番号，及びその同一集団に属する旨を送信側に通知するステップと、同一集団に属する受信装置に同一の集団識別番号を割り当てるステップと、同一の集団識別番号を有する複数の受信装置で同一のイベント（番組）を視聴したとき、個別識別番号，集団識別番号および当該イベント（番組）を特定する情報を通知するステップとからなるものとしたから、送信側は、同一の集団識別番号を有する複数の受信装置で同一のイベント（番組）を視聴したことを確認し、同一集団に対して当該イベントを１つの受信装置で視聴した分の課金を行うものとすることができる効果がある。
【手続補正３６】
【補正対象書類名】明細書
【補正対象項目名】０１１０
【補正方法】変更
【補正の内容】
【０１１０】
また、本発明にかかるデータ送受信方法によれば、上記イベント（番組）を特定する情報は、各イベント（番組）を識別可能な番組識別番号を含むものとしたから、同一イベント（番組）であることを確実に把握できる効果がある。
【手続補正３７】
【補正対象書類名】明細書
【補正対象項目名】０１１１
【補正方法】変更
【補正の内容】
【０１１１】
また、本発明にかかるデータ送受信方法によれば、上記集団識別番号を割り当てるステップにおいて、各イベント（番組）が受信装置単位および集団単位のいずれの課金形態を適用するかを示す情報をさらに送出するものとしたから、受信側で該情報を画面表示するようにすれば、ユーザはいずれかの課金形態かを把握して視聴する受信装置の台数を変更等することができる効果がある。
【手続補正３８】
【補正対象書類名】明細書
【補正対象項目名】０１１２
【補正方法】変更
【補正の内容】
【０１１２】
また、本発明にかかる受信装置によれば、送信側からの集団識別番号を記憶する記憶手段と、送信されたデータストリームから受信契約の情報を抽出する多重分離手段と、抽出した受信契約の情報を解析して受信可能なサービスを認識するとともに、上記多重分離部にデータストリームから受信可能なサービスをデスクランブルするための鍵情報を抽出させて、これを取得する制御手段と、認識した受信可能なサービスと抽出した鍵情報とを含む情報に基づいて、上記制御部の指示により、データストリームから受信可能なサービスをデスクランブルする暗号解読手段とを備えた構成としたから、同一集団に属する複数の受信装置で１契約の課金で受信して視聴することができる効果がある。
【手続補正３９】
【補正対象書類名】明細書
【補正対象項目名】０１１３
【補正方法】変更
【補正の内容】
【０１１３】
また、本発明にかかる受信装置によれば、送信側からの集団識別番号を記憶する記憶手段と、送信されたデータストリームから視聴履歴を抽出する多重分離手段と、抽出した視聴履歴を記憶するカード手段と、記憶した視聴履歴をＩＲＤ＿ＩＤおよびＩＲＤ＿Ｇｒ＿ＩＤとともに外部管理センターへ通知するカードインタフェース手段とを備えたから、同一集団に属する複数の受信装置で同一イベント（番組）を視聴したことを管理センターへ通知できるので、集団単位での視聴が許可されたイベント（番組）については、１回分の課金で視聴することが可能である効果がある。
【手続補正４０】
【補正対象書類名】明細書
【補正対象項目名】０１１４
【補正方法】変更
【補正の内容】
【０１１４】
また、本発明にかかる受信装置によれば、上記受信装置の個別識別番号および集団識別番号を、当該受信装置に接続された電話回線を通じて所定の時間間隔で送信側へ通知する上り回線制御手段をさらに備えた構成としたから、集団単位で契約した受信装置を契約した集団内で使用していないときには、これを把握することが可能である効果がある。